(57)【要約】【課題】  使用環境に対して適切な画像圧縮方式が選択できる撮像装置及びその制御方法を提供することを目的とする。【解決手段】  複数の符号化方式に対応するＭＰＥＧコーデック（１１４，１１５）と、記録媒体（１２１）から再生された画像信号を外部に出力するマルチコネクタ（１１７）を具備し、前記マルチコネクタは接続された接続ケーブル、接続された外部機器または接続時の転送モードの少なくても一つの情報を検出し、その情報をＭＰＥＧコーデックにおける符号化方式の選択に用いる。【選択図】  図４
2006033709.tif 000002
【特許請求の範囲】
【請求項１】
撮像によって生成した画像信号の情報量を圧縮して記録媒体に記録する撮像装置において、
前記画像信号の情報量を圧縮符号化する複数の符号化方式に対応する画像符号化手段と、
前記画像符号化手段で符号化された画像信号を前記記録媒体に記録及び再生する記録再生手段と、
前記記録再生手段から再生された前記符号化された画像信号を外部に出力する画像出力手段と、
前記出力手段に接続された接続ケーブル、接続された外部機器または接続時の転送モードのうち少なくても一つの情報を検出する検出手段と、
前記検出手段で検出された情報に基づいて前記画像符号化手段における符号化方式を選択するために必要な情報を記憶する記憶手段と、
前記記憶手段に記憶された情報に従って、所定の動作状態のときに前記画像符号化手段における前記複数の符号化方式から１つの符号化方式を選択する符号化方式選択手段とを備えたことを特徴とする撮像装置。
【請求項２】
前記符号化方式選択手段は、前記記憶手段に記憶された情報に従って、次回の記録動作を実行するときに、前記画像符号化手段における前記複数の符号化方式から１つの符号化方式を選択することを特徴とする請求項１に記載の撮像装置。
【請求項３】
前記符号化方式選択手段は、前記記憶手段に記憶された情報に従って、撮像装置が電源オフまたはスタンバイの状態から復帰して稼働状態になったときに、前記画像符号化手段における前記複数の符号化方式から１つの符号化方式を選択することを特徴とする請求項１に記載の撮像装置。
【請求項４】
前記検出手段がアナログ映像ケーブル、テレビモニタまたは前記転送モードが記録した時間軸に準じた速度の読み出しであるストリーム転送モードであることを検出した場合は、前記記憶手段が解像度およびフレームレートが、ＮＴＳＣ方式またはＰＡＬ方式を原画像とする画像符号化方式を選択する為の情報を記憶することを特徴とする請求項１に記載の撮像装置。
【請求項５】
前記検出手段がシリアルによるデジタル転送ケーブル、コンピュータ機器または前記転送モードが記録した時間軸とは関連のない速度で読み出し可能なファイル転送モードであることを検出した場合は、前記記憶手段が縦の解像度が４８０画素以下で、毎秒３０フレーム以下の順次走査画像を原画像とする画像符号化方式を選択する為の情報を記憶することを特徴とする請求項１に記載の撮像装置。
【請求項６】
前記符号化方式選択手段は、前記記憶手段に符号化方式を選択するために必要な情報が記憶されていないときには、予め定められた符号化方式を自動で選択することを特徴とする請求項１に記載の撮像装置。
【請求項７】
さらに、前記撮像装置に対して着脱可能なステーションを備え、前記検出手段は前記ステーション側に搭載され、前記ステーションに接続された接続ケーブル、接続された外部機器または接続時の転送モードの少なくても一つの情報を検出することを特徴とする請求項１に記載の撮像装置。
【請求項８】
さらに、前記ステーション内に、前記撮像装置内のバッテリを充電する為の充電手段を備えたことを特徴とする請求項７に記載の撮像装置。
【請求項９】
前記ステーションは、前記撮像装置に装着された際、少なくとも前記符号化された画像信号の受信と、前記検出手段で検出した情報の送信と、バッテリ充電の為の電力供給とを行うことを特徴とする請求項８に記載の撮像装置。
【請求項１０】
撮像によって生成した画像信号の情報量を圧縮して記録媒体に記録する撮像装置の制御方法において、
前記画像信号の情報量を圧縮符号化する複数の符号化方式に対応する画像符号化ステップと、
前記画像符号化ステップで符号化された画像信号を前記記録媒体に記録する記録ステップと、
前記記録ステップで記録された前記符号化された画像信号を再生する再生ステップと、
前記再生ステップで再生された前記符号化された画像信号を出力端子から外部に出力する画像出力ステップと、
前記出力端子に接続された接続ケーブル、接続された外部機器または接続時の転送モードのうち少なくても一つの情報を検出する検出ステップと、
前記検出ステップで検出された情報に基づいて前記画像符号化ステップにおける符号化方式を選択するために必要な情報を記憶する記憶ステップと、
前記記憶ステップで記憶された情報に従って、所定の動作状態のときに前記画像符号化ステップにおける前記複数の符号化方式から１つの符号化方式を選択する符号化方式選択ステップとを有することを特徴とする撮像装置の制御方法。
【発明の詳細な説明】
【技術分野】
【０００１】
本発明は、ＭＰＥＧ２とＭＰＥＧ４等、複数の圧縮符号化方式に対応する撮像装置及びその制御方法に関するものである。
【背景技術】
【０００２】
従来、ビデオカメラはテープを記録媒体として、ＤＶ圧縮方式によって圧縮符号化した映像データを記録再生するものが主流であったが、近年ではフラッシュメモリカードやＤＶＤ等ランダムアクセス可能な記録媒体に、ＭＰＥＧ方式で圧縮符号化した映像データを記録再生する製品が登場している。メモリカードにＭＰＥＧ画像データを記録再生する装置の構成については、例えば特許文献１に開示されている。
【０００３】
更に、フラッシュメモリカードを記録媒体とするビデオカメラでは、パーソナルコンピュータ（パソコン）との親和性が高いといった記録媒体上の特徴を生かす為にも、ネットワーク環境に適したＭＰＥＧ４による動画圧縮方式が一般的に採用されていたが、最近のフラッシュメモリの性能向上による読み書き速度の高速化やネットワークのブロードバンド化により、より高画質なＭＰＥＧ２による動画圧縮方式を採用したビデオカメラも登場している。
【特許文献１】特開平１０−２１０４０９号公報
【発明の開示】
【発明が解決しようとする課題】
【０００４】
しかしながら、前記したビデオカメラが例えばＭＰＥＧ２方式とＭＰＥＧ４方式とを選択可能であるとした場合、ユーザはＭＰＥＧ２方式とＭＰＥＧ４方式のうち、どちらの動画圧縮方式をどのような状況で選択すればよいのか、特に初心者にとって難しい操作上の課題となっている。例えば、後にＤＶＤなどＭＰＥＧ２対応の記録媒体にコピーして使う予定であった撮影シーンが、意図せず低画質なＭＰＥＧ４方式で録画してしまうなどの不都合が生じることが考えられる。
【０００５】
本発明は上記の如き課題に鑑みてなされたものであり、初心者においても容易に、環境に対して適切な画像圧縮方式が選択できる撮像装置及びその制御方法を提供することを目的とする。
【課題を解決するための手段】
【０００６】
上記課題を解決するために、本発明の撮像装置は、撮像によって生成した画像信号の情報量を圧縮して記録媒体に記録する撮像装置において、前記画像信号の情報量を圧縮符号化する複数の符号化方式に対応する画像符号化手段と、前記画像符号化手段で符号化された画像信号を前記記録媒体に記録及び再生する記録再生手段と、前記記録再生手段から再生された前記符号化された画像信号を外部に出力する画像出力手段と、前記出力手段に接続された接続ケーブル、接続された外部機器または接続時の転送モードのうち少なくても一つの情報を検出する検出手段と、前記検出手段で検出された情報に基づいて前記画像符号化手段における符号化方式を選択するために必要な情報を記憶する記憶手段と、前記記憶手段に記憶された情報に従って、所定の動作状態のときに前記画像符号化手段における前記複数の符号化方式から１つの符号化方式を選択する符号化方式選択手段とを備えたことを特徴とする。
【０００７】
また、本発明の撮像装置の制御方法は、撮像によって生成した画像信号の情報量を圧縮して記録媒体に記録する撮像装置の制御方法において、前記画像信号の情報量を圧縮符号化する複数の符号化方式に対応する画像符号化ステップと、前記画像符号化ステップで符号化された画像信号を前記記録媒体に記録する記録ステップと、前記記録ステップで記録された前記符号化された画像信号を再生する再生ステップと、前記再生ステップで再生された前記符号化された画像信号を出力端子から外部に出力する画像出力ステップと、前記出力端子に接続された接続ケーブル、接続された外部機器または接続時の転送モードのうち少なくても一つの情報を検出する検出ステップと、前記検出ステップで検出された情報に基づいて前記画像符号化ステップにおける符号化方式を選択するために必要な情報を記憶する記憶ステップと、前記記憶ステップで記憶された情報に従って、所定の動作状態のときに前記画像符号化ステップにおける前記複数の符号化方式から１つの符号化方式を選択する符号化方式選択ステップとを有することを特徴とする。
【発明の効果】
【０００８】
本発明によれば、撮像装置をテレビと接続して行う動画再生時またはパソコンと接続して行う動画ファイル転送時に接続ケーブルまたは接続相手を検知して、例えば次回起動時にそれぞれに応じた画像圧縮方式が自動で選択されるため、ユーザの使用環境に適した画像圧縮方式が容易に選択できる。
【０００９】
また本発明によれば、ドッキングステーションによる接続システムを採用する場合、電源オフ時でも、充電等のためにドッキングステーションに載せた時に接続ケーブルまたは接続相手を検知して、例えば次回起動時に状況に応じた画像圧縮方式が自動で選択されるため、ユーザの使用環境に適した画像圧縮方式が容易に選択できる。
【発明を実施するための最良の形態】
【００１０】
以下、図面を参照しながら本発明の好適な実施の形態を説明する。
【００１１】
＜第１の実施形態＞
本発明をデジタルビデオカメラで実施した第１の実施形態について図面を用いて説明する。
【００１２】
図１は本実施形態のブロック図である。同図において、１０１は被写体を取り込む撮影レンズ、１０２は後述の撮像素子への光量を制御する絞り、１０３は、取り込んだ被写体を画像信号に変換する撮像素子、１０４は前記画像信号をサンプルホールドし、適正な信号レベルにするＣＤＳ／ＡＧＣ、１０５は、前記ＣＤＳ／ＡＧＣからの画像信号をＡ／Ｄ変換し、デジタル信号処理を行うデジタル信号処理回路、１０６は、デジタル信号処理回路からの生データを１フレーム分ずつ蓄積するフレームメモリ、１０７は、前記フレームメモリの画素を後述のＭＰＥＧ２またはＭＰＥＧ４方式での記録が出来るように、適切な画素数を調整する画素数調整回路である。以上の各部は撮影／記録モード時において動作する。
【００１３】
１０８は、各ブロック間で画像データおよび後述の音声データを行き来する為の画像／音声データバス、１０９は、前記画像データと共に記録される音声を集音するマイクロフォン、１１０は前記マイクロフォンからの音声信号を適当なレベルまで増幅する増幅器、１１１は、前記増幅された音声信号をＡ／Ｄ変換するＡ／Ｄコンバータである。
【００１４】
１１２は、再生モード時には後述のＭＰＥＧ２コーデック１１４またはＭＰＥＧ４コーデック１１５からの再生画像データを、撮影モード時には前記撮像素子１０３で撮像された映像を表示する液晶ディスプレイ、１１３は、前記液晶ディスプレイ１１２を駆動する液晶ドライバである。
【００１５】
１１４は、撮影モード時には前記画像／音声データバス１０８からのデジタル画像信号を動画として、その情報量をＭＰＥＧ２方式により圧縮し、再生モード時には後述のフラッシュメモリで再生された前記画像／音声データバス１０８からのＭＰＥＧ２圧縮データを伸張するＭＰＥＧ２コーデック、１１５は、撮影モード時には前記画像／音声データバス１０８からのデジタル画像信号を動画として、その情報量をＭＰＥＧ４方式により圧縮し、再生モード時には後述のフラッシュメモリで再生された前記画像／音声データバス１０８からのＭＰＥＧ４圧縮データを伸張するＭＰＥＧ４コーデック、１１６は、ＭＰＥＧ２コーデック１１４とＭＰＥＧ４コーデック１１５を選択的に用いる為に使用するコーデックを切り換える切り換えスイッチである。
【００１６】
１１７は、複数のケーブルが接続可能であり、接続されるケーブルの種類に応じて、後述のＮＴＳＣエンコーダからのアナログ映像信号または後述のＵＳＢインターフェースからのデジタル映像データを出力するとともに、接続されたケーブルの種類を検出するマルチコネクタ、１１８は、前記液晶ディスプレイ１１２で表示されるものと同一の画像をアナログ化し、マルチコネクタ１１７に出力するＮＴＳＣエンコーダ、１１９は、後述のメモリカードに記録されたＭＰＥＧ２またはＭＰＥＧ４方式の画像データをそのまま外部に出力するＵＳＢインターフェースである。
【００１７】
１２０は、後述のメモリカードに対してデータの読み書きを行うカードドライバ、１２１は、前記画像／音声データバス１０８からのＭＰＥＧ２画像データまたはＭＰＥＧ４画像データを記録するメモリカード、１２２は、使用者が本体に対する操作を行うための操作キー、１２３は、機器全体のモードを制御したり、前記操作キー１２２への命令を読んで各種機能の実行を制御するメインマイコン、１２４は、前記メインマイコン１２３の所定の状態を電源オフ時にも記憶する不揮発性メモリであるＥＥＰＲＯＭ、１２５は、前記メインマイコン１２３からの制御信号や、操作キー１２２からの制御信号が行き来する制御バスである。
【００１８】
図２は、前記マルチコネクタ１１７の詳細を示す図である。同図において、２０１は本実施形態のデジタルビデオカメラの本体側に設置されるコネクタ、２０２はアナログＡＶケーブルのプラグ、２０３はＵＳＢケーブルのプラグであり、それぞれのケーブルの反対側は汎用のピンプラグおよびＵＳＢ−Ｂプラグの形状となっている。前記マルチコネクタ１１７は９つのピンで構成されており、２０４はアナログのグランド、２０５はアナログの左チャンネル音声、２０６はアナログの右チャンネル音声、２０７は後述のＳ３０２ｂにてアナログケーブルを検出するための検出端子、２０８は、デジタル（ＵＳＢ）のグランド、２０９、２１０はデジタルのシリアルデータの信号端子、２１１はＵＳＢバスパワーとして電源の供給が可能な電源端子（本実施形態では使用しない）、２１２は後述のＳ３０２ｂにてＵＳＢケーブルを検出するための検出端子である。また、本実施形態でのＭＰＥＧ２コーデック１１４は、ＮＴＳＣ準拠の横７２０ｘ縦４８０画素／毎秒２９．９７フレームの飛び越し走査画像をそのまま符号化し、平均３〜６Ｍｂｐｓの高レートにて記録を行うため、特に一般のテレビモニタにおいて最適な動画像を記録する事ができる。さらに、ＤＶＤなどにも互換性が高い事が特徴である。また、ＭＰＥＧ４コーデック１１５は、前記ＮＴＳＣ準拠の画像を前記画素数調整回路１０７によって縦３２０×横２４０画素／毎秒１５フレームの順次走査画像に変換してから符号化し、平均０．５〜１Ｍｂｐｓの低レートにて記録を行うため、特にパソコンによってインターネット等を通じて配信を行う場合でも負荷が軽く、スムーズな動きの動画像を得る事ができる。また、パソコン上のメディアプレーヤなどの再生ソフトとの互換性が高い事が特徴である。
【００１９】
以上の構成にて、本実施形態のデジタルビデオカメラの動作を図３のフローチャートを用いて説明する。図３の（ａ）は、本実施形態のデジタルビデオカメラの撮影モードにおける電源オン時の動作を示すフローチャートである。同図において、Ｓ３０１ａにて電源がオンとなった後、Ｓ３０２ａにて前記ＥＥＰＲＯＭ１２４に、前記ＭＰＥＧ２またはＭＰＥＧ４のどちらのコーデックで記録を行うかの設定情報が格納されているかが検出され、格納されていればＳ３０３ａにて設定情報が読み出され、Ｓ３０４ａにて識別され、ＭＰＥＧ４の設定情報であればＳ３０５ａにてＭＰＥＧ４による記録モードに設定され、Ｓ３０６ａにて次回起動時のために設定情報としてＭＰＥＧ４を前記ＥＥＰＲＯＭ１２４に記録し、Ｓ３０７ａにて撮影待機状態に入る。また、Ｓ３０４ａにてＭＰＥＧ２の設定情報であると識別されると、Ｓ３０８ａにてＭＰＥＧ２による記録モードに設定され、Ｓ３０９ａにて次回起動時のために設定情報として前記ＥＥＰＲＯＭ１２４にＭＰＥＧ２を記録し、Ｓ３０７ａにて撮影待機状態に入る。
【００２０】
また、図３の（ｂ）は、本実施形態のデジタルビデオカメラの再生時の動作を示すフローチャートである。Ｓ３０１ｂにてユーザの操作によって再生モードが開始すると、Ｓ３０２ｂにて接続ケーブルが検出され、ＵＳＢケーブルが検出されると、接続相手がパソコンであると判断され、前記ＵＳＢインターフェース１１９から前記メモリカード１２１に記録された圧縮画像データが読み出せるファイル転送モードとなり、Ｓ３０３ｂにて次回起動時のための設定情報としてＭＰＥＧ４を前記ＥＥＰＲＯＭ１２４に記録し、Ｓ３０４ｂにて、パソコンによる所定の圧縮画像データの読み出しを待機する状態となる。また、Ｓ３０２ｂにてアナログＡＶケーブルが検出されると、前記ＮＴＳＣエンコーダ１１８からアナログＡＶ信号が出力される状態となり、Ｓ３０５ｂにて次回起動時のための設定情報として前記ＥＥＰＲＯＭ１２４にＭＰＥＧ２を記録し、Ｓ３０６ｂにて、ユーザによる再生操作の待機状態に入る。
【００２１】
以上、説明したの構成をイラストで表わしたものが図４である。
【００２２】
なお、本実施形態では電源オン時にＭＰＥＧ２コーデックまたはＭＰＥＧ４コーデックが選択されるようになっているが、前記選択された後に、ユーザが必要に応じて選択のし直しができる構成としてももちろんよい。また、本実施形態では接続されるケーブルの種類によってＭＰＥＧ２またはＭＰＥＧ４が選択されるようになっているが、接続された外部機器の情報を検出して、外部機器の種類に応じてＭＰＥＧ２またはＭＰＥＧ４が選択されるようにしても良いし、また、前記デジタルケーブルでの転送モードが、１倍速の再生時間に準じた転送速度であるストリーム転送の場合はＭＰＥＧ２、再生時間とは関係なく、前記メモリカード１２１に記録されているデータそのものを最高速で読み出すファイル転送モードの場合はＭＰＥＧ４を選択する構成としてもよい。さらに、ユーザの設定によって、いずれかの圧縮符号化方式の使用を禁止できる構成としてもよい。
【００２３】
＜第２の実施形態＞
次に、本発明をデジタルビデオカメラで応用した第２の実施形態について図面を用いて説明する。
【００２４】
図５は本実施形態のブロック図である。同図において、５００ａはデジタルビデオカメラ本体、５００ｂは信号の入出力と後述の充電式バッテリの充電を行い、前記デジタルビデオカメラと脱着可能なドッキングステーションである。５０１は被写体を取り込む撮影レンズ、５０２は後述の撮像素子への光量を制御する絞り、５０３は、取り込んだ被写体を画像信号に変換する撮像素子、５０４は前記画像信号をサンプルホールドし、適正な信号レベルにするＣＤＳ／ＡＧＣ、５０５は、前記ＣＤＳ／ＡＧＣからの画像信号をＡ／Ｄ変換し、デジタル信号処理を行うデジタル信号処理回路、５０６は、デジタル信号処理回路からの生データを１フレーム分ずつ蓄積するフレームメモリ、５０７は、前記フレームメモリの画素を後述のＭＰＥＧ２またはＭＰＥＧ４方式での記録が出来るように、適切な画素数を調整する画素数調整回路である。
【００２５】
５０８は、各ブロック間の画像データおよび後述の音声データが行き来する画像／音声データバス、５０９は、前記画像データと共に記録される音声を集音するマイクロフォン、５１０は前記マイクロフォンからの音声信号を適当なレベルまで増幅する増幅器、５１１は、前記増幅された音声信号をＡ／Ｄ変換するＡ／Ｄコンバータ、５１２は、再生モード時には後述のＭＰＥＧ２コーデック５１４または後述のＭＰＥＧ４コーデック５１５からの再生画像データ、撮影時には前記撮像素子５０３で撮像された映像を表示する液晶ディスプレイ、５１３は、前記液晶ディスプレイ５１２を駆動する液晶ドライバである。
【００２６】
５１４は、前記画像／音声データバス５０８からのデジタル画像信号を動画としてＭＰＥＧ２方式による圧縮すると共に、後述のフラッシュメモリに記録されたＭＰＥＧ２圧縮データを伸張するＭＰＥＧ２コーデック、５１５は、前記画像／音声データバス５０８からのデジタル画像信号を動画としてＭＰＥＧ４方式による圧縮すると共に、後述のフラッシュメモリに記録されたＭＰＥＧ４圧縮データを伸張するＭＰＥＧ４コーデック、５１６は、前記ＭＰＥＧ２コーデック５１４と前記ＭＰＥＧ４コーデック５１５を切り換える切り換えスイッチである。
【００２７】
５１７は、前記デジタルビデオカメラ本体５００ａとドッキングステーション５００ｂを接続するステーションコネクタ、５１８は、前記液晶ディスプレイ５１２で表示される物と同一の画像をアナログ化し、マルチコネクタ５２９に出力するＮＴＳＣエンコーダ、５１９は、後述のメモリカードに記録されたＭＰＥＧ２またはＭＰＥＧ４方式の画像データをそのまま外部に出力するＵＳＢインターフェースである。
【００２８】
５２０は、後述のメモリカードに対してデータの読み書きを行うカードドライバ、５２１は、前記画像／音声データバス５０８からのＭＰＥＧ２画像データまたはＭＰＥＧ４画像データを記録するメモリカード、５２２は、使用者が本体に対する操作を行うための操作キー、５２３は、機器全体のモードを制御したり、前記操作キー５２２の状態を読んで各種機能の実行を制御するメインマイコン、５２４は、前記メインマイコンの所定の状態を電源オフでも記憶する不揮発性メモリであるＥＥＰＲＯＭ、５２５は、前記メインマイコン５２３からの制御信号や、操作キー５２２からの信号が行き来する制御バスである。
【００２９】
５２６は、前記デジタルビデオカメラ５００ａの電源である充電式バッテリ、５２７は、前記充電式バッテリの充電を行うと共に満充電を検知し、充電を止める充電制御部、５２８は、前記デジタルビデオカメラ本体５００ａとドッキングステーション５００ｂを接続するステーションコネクタ、５２９は、接続されるケーブルの種類に応じて、前記ＮＴＳＣエンコーダ５１８からのアナログ映像信号または前記ＵＳＢインターフェース５１９からのデジタル映像データを出力するとともに、接続されたケーブルの種類を検出するマルチコネクタである。
【００３０】
本実施形態のマルチコネクタ５２９の詳細は、前記実施形態１の前記マルチコネクタ１１７の詳細を示す図３と同様であるが、前記デジタルビデオカメラ５００ａ本体ではなく、前記ドッキングステーション５００ｂに設置されている点が前記実施形態１とは異なる。また、本実施形態でのＭＰＥＧ２コーデックは、ＮＴＳＣ準拠の横７２０ｘ縦４８０画素／毎秒２９．９７フレームの飛び越し走査画像をそのまま符号化し、平均３〜６Ｍｂｐｓの高レートにて記録を行うため、特に一般のテレビモニタにおいて最適な動画像を記録する事ができる。さらに、ＤＶＤなどにも互換性が高い事が特徴である。また、ＭＰＥＧ４コーデックは、前記ＮＴＳＣ準拠の画像を前記画素数調整回路１０７によって縦３２０ｘ横２４０画素／毎秒１５フレームの順次走査画像に変換してから符号化し、平均０．５〜１Ｍｂｐｓの低レートにて記録を行うため、特にパソコンによってインターネット等を通じて配信を行う場合でも負荷が軽く、スムーズな動きの動画像を得る事ができる。また、パソコン上のメディアプレーヤなどの再生ソフトとの互換性が高い事が特徴である。
【００３１】
以上の構成にて、本実施形態のデジタルビデオカメラの動作をフローチャートを用いて説明する。本実施形態のデジタルビデオカメラの撮影モードにおける電源オン時の動作は前記実施形態１の図３（ａ）に示すフローチャートである。また、図６は、本実施形態のデジタルビデオカメラが前記ドッキングステーションと接続された時の動作を示すフローチャートである。なお前記デジタルビデオカメラの電源はオフの状態である。Ｓ６０１にてユーザが前記ドッキングステーションと接続すると、Ｓ６０２にて前記メインマイコン５２３の内にある接続検知プログラムが起動し、Ｓ６０３にて接続ケーブルが検出され、ＵＳＢケーブルが検出されると、接続相手がパソコンであると判断され、Ｓ６０４にて次回起動時のための設定情報としてＭＰＥＧ４を前記ＥＥＰＲＯＭ５２４に記録し、Ｓ６０５にて、前記接続検知プログラムが終了する。また、Ｓ６０３にてアナログＡＶケーブルが検出されると、Ｓ６０６にて次回起動時のための設定情報として前記ＥＥＰＲＯＭ１２４にＭＰＥＧ２を記録し、Ｓ６０５にて、前記接続検知プログラムが終了する。
【００３２】
以上、説明したの構成をイラストで表わしたものが図４である。
【００３３】
なお、本実施形態では電源オン時にＭＰＥＧ２またはＭＰＥＧ４が選択されるようになっているが、前記選択された後に、ユーザが必要に応じて選択のし直しができる構成としてももちろんよい。また、ユーザの設定によって、いずれかの圧縮符号化方式の使用を禁止できる構成としてもよい。また、前記デジタルビデオカムコーダ本体と前記ドッキングステーションが接続された時に、前記充電式バッテリ５２６の充電量が低下していれば、前記充電制御部５２７によって充電が行われる構成としてもよい。
【００３４】
＜その他の実施形態＞
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、ブルーレイディスク、光ディスク、光磁気ディスク、ＭＯなどが考えられる。
【００３５】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００３６】
本発明を上記記憶媒体に適用する場合、その記憶媒体には、先に説明したフローチャート図に対応するプログラムコードが格納されることになる。
【図面の簡単な説明】
【００３７】
【図１】本発明の第１の実施形態におけるデジタルビデオカメラのブロック図である。
【図２】本発明の第１の実施形態および第２の実施形態におけるマルチコネクタの詳細を示す図である。
【図３】（ａ）、（ｂ）は本発明の第１の実施形態におけるデジタルビデオカメラの動作を示すフローチャートである。
【図４】本発明の第１の実施形態におけるシステム概要を示す図である。
【図５】本発明の第２の実施形態におけるデジタルビデオカメラ及びドッキングステーションのブロック図である。
【図６】本発明の第２の実施形態におけるデジタルビデオカメラの動作を示すフローチャートである。
【図７】本発明の第２の実施形態におけるのシステム概要を示す図である。
【符号の説明】
【００３８】
１０１  撮影レンズ
１０２  絞り
１０３  撮像素子
１０４  ＣＤＳ／ＡＧＣ
１０５  デジタル信号処理回路
１０６  フレームメモリ
１０７  画素数調整回路
１０８  画像／音声データバス
１０９  マイクロフォン
１１０  増幅器
１１１  Ａ／Ｄコンバータ
１１２  液晶ディスプレイ
１１３  液晶ドライバ
１１４  ＭＰＥＧ２コーデック
１１５  ＭＰＥＧ４コーデック
１１６  切り替えスイッチ
１１７  マルチコネクタ
１１８  ＮＴＳＣエンコーダ
１１９  ＵＳＢインターフェース
１２０  カードドライバ
１２１  メモリカード
１２２  操作キー
１２３  メインマイコン
１２４  ＥＥＰＲＯＭ
１２５  制御バス
２０１  本体側コネクタ
２０２  アナログＡＶケーブルのプラグ
２０３  ＵＳＢケーブルのプラグ
２０４  アナログのグランド
２０５  アナログの左チャンネル音声
２０６  アナログの右チャンネル音声
２０７  検出端子
２０８  デジタルのグランド
２０９  デジタルのシリアルデータ信号端子
２１０  デジタルのシリアルデータ信号端子
２１１  電源端子
２１２  検出端子
５００ａ  デジタルビデオカメラ
５００ｂ  ドッキングステーション
５０１  撮影レンズ
５０２  絞り
５０３  撮像素子
５０４  ＣＤＳ／ＡＧＣ
５０５  デジタル信号処理回路
５０６  フレームメモリ
５０７  画素数調整回路
５０８  画像／音声データバス
５０９  マイクロフォン
５１０  増幅器
５１１  Ａ／Ｄコンバータ
５１２  液晶ディスプレイ
５１３  液晶ドライバ
５１４  ＭＰＥＧ２コーデック
５１５  ＭＰＥＧ４コーデック
５１６  切り替えスイッチ
５１７  ステーションコネクタ
５１８  ＮＴＳＣエンコーダ
５１９  ＵＳＢインターフェース
５２０  カードドライバ
５２１  メモリカード
５２２  操作キー
５２３  メインマイコン
５２４  ＥＥＰＲＯＭ
５２５  制御バス
５２６  充電式バッテリ
５２７  充電制御部
５２８  ステーションコネクタ
５２９  マルチコネクタ
【図１】
2006033709.tif 000003
【図２】
2006033709.tif 000004
【図３】
2006033709.tif 000005
【図４】
2006033709.tif 000006
【図５】
2006033709.tif 000007
【図６】
2006033709.tif 000008
【図７】
2006033709.tif 000009